(57)【要約】【課題】前回電源オフが温度異常のためなされたことを、オペレータへ確実に警告して異常要因の排除を促すことが可能なプロジェクタを提供する。【解決手段】プロジェクタ１は、起動時において、フラグ設定領域２２ａのフラグが異常を示すオンである場合、光源部４１ａを低輝度の第２の輝度で点灯し、且つ冷却部を強冷却回転の第２の冷却能力で駆動すると共に、所定時間、警告メッセージを表示する。警告メッセージの表示中に、フラグのオンに該当する異常要因を排除したことを示す確認キー５ａが入力されなければ、電源オフの処理がなされプロジェクタ１の稼動が停止される。一方、確認キー５ａが入力されれば、プロジェクタ１は、光源部４１ａを通常輝度の第１の輝度で点灯し、且つ冷却部を通常回転の第１の冷却能力で駆動して、正常な稼動を開始する。【選択図】図５
2009288277.tif 000002
【特許請求の範囲】
【請求項１】
光源部から射出された光束を画像信号に応じて変調し形成した画像光を投射するプロジェクタであって、
前記光源部を含む画像投射部と、
前記画像投射部を収容する筐体と、
前記筐体の内部温度の上昇を防ぐための冷却部と、
前記内部温度を検知する検知部と、
前記検知部による検知情報を記憶する記憶部と、
少なくとも前記画像投射部を制御する制御部と、を有し、
前記光源部は、少なくとも第１の輝度および前記第１の輝度より低輝度の第２の輝度で点灯可能であり、
前記制御部は、前記検知部が前記内部温度の異常を検知した場合に、異常情報を前記記憶部に記憶して電源をオフにする処理を行い、起動時に前記記憶部が前記異常情報を記憶していれば、前記光源部を前記第２の輝度で点灯させる処理を行うことを特徴とするプロジェクタ。
【請求項２】
請求項１に記載のプロジェクタにおいて、
前記制御部は、起動時に前記記憶部が前記異常情報を記憶していれば、警告メッセージの表示を前記画像投射部にさせることを特徴とするプロジェクタ。
【請求項３】
請求項２に記載のプロジェクタにおいて、
前記制御部は、前記警告メッセージの表示後、所定時間内に所定の応答が入力されなければ電源をオフにする処理を行い、前記所定時間内に前記所定の応答が入力されれば前記光源部を前記第１の輝度で点灯させることを特徴とするプロジェクタ。
【請求項４】
請求項１から３のいずれか一項に記載のプロジェクタにおいて、
前記冷却部は、少なくとも第１の冷却能力および前記第１の冷却能力より強冷却能力を有する第２の冷却能力で駆動可能であり、
前記制御部は、前記記憶部が前記異常情報を記憶していれば、前記冷却部を前記第２の冷却能力で駆動させることを特徴とするプロジェクタ。
【請求項５】
請求項３および４に記載のプロジェクタにおいて、
前記制御部は、前記警告メッセージの表示後、前記所定時間内に前記所定の応答が入力されれば前記冷却部を前記第１の冷却能力で駆動させることを特徴とするプロジェクタ。
【請求項６】
請求項１から５のいずれか一項に記載のプロジェクタにおいて、
前記検知部は、温度センサであり、
前記制御部は、前記温度センサによる前記検知情報に対応して前記冷却部の駆動を制御し、前記記憶部が前記異常情報を記憶していれば、前記冷却部を前記第２の冷却能力で駆動させることを特徴とするプロジェクタ。
【請求項７】
光源部から射出された光束を画像信号に応じて変調し形成した画像光を投射するプロジェクタの制御方法であって、
少なくとも第１の輝度および前記第１の輝度より低輝度の第２の輝度で点灯可能な前記光源部から前記第１の輝度の光束を射出する射出ステップと、
少なくとも第１の冷却能力および前記第１の冷却能力より強冷却能力を有する第２の冷却能力で駆動可能な冷却部で冷却される前記プロジェクタの内部温度を検知する検知ステップと、
前記検知ステップで前記内部温度の異常を検知した場合に、異常情報を記憶する記憶ステップと、
前記異常情報に対応して電源をオフにする稼動停止ステップと、
前記プロジェクタの起動時に、前記異常情報の記憶の有無を確認する確認ステップと、
前記確認ステップで前記異常情報の記憶を有していれば、少なくとも前記光源部の前記第２の輝度での点灯または前記冷却部の前記第２の冷却能力での駆動を行う異常時起動ステップと、を有することを特徴とするプロジェクタの制御方法。
【請求項８】
請求項７に記載のプロジェクタの制御方法であって、
前記異常時起動ステップの後、警告メッセージを表示する警告ステップと、
前記警告メッセージの表示後、所定時間内に所定の応答が入力されなければ電源をオフにし、前記所定時間内に前記所定の応答が入力されれば前記光源部を前記第１の輝度で点灯させ且つ前記冷却部を前記第１の冷却能力で駆動させる応答ステップと、をさらに有することを特徴とするプロジェクタの制御方法。
【発明の詳細な説明】
【技術分野】
【０００１】
本発明は、異常を警告する機能を有するプロジェクタおよびこのプロジェクタの制御方法に関する。
【背景技術】
【０００２】
従来、プロジェクタは、プロジェクタに異常が発生した場合に、警告を発して強制的に電源をオフにする機能を備えているが、スリープタイマで電源オフされる場合等においては、オペレータが異常に気づかないまま稼動を終了してしまう。そこで、異常に稼動終了した場合、その異常情報を保存しておき、次回の起動時に、前回電源オフが異常になされたことを警告する機能を有するプロジェクタが開示されている。このプロジェクタによれば、オペレータに異常を認識させ、異常な電源オフの再発を防止することが可能である（例えば特許文献１）。
【０００３】
【特許文献１】特開２００４−２７９９０８号公報
【発明の開示】
【発明が解決しようとする課題】
【０００４】
しかし、従来の技術では、プロジェクタの筐体内部の温度異常により、稼動を強制終了した場合等において、次回プロジェクタを稼動させようとした時、起動直後に内部温度の異常が再発し、再度強制的な稼動終了となるため、オペレータに警告を発することができない可能性がある、という課題があった。
【課題を解決するための手段】
【０００５】
本発明は、上記課題の少なくとも一部を解決するためになされたものであり、以下の適用例または形態として実現することが可能である。
【０００６】
［適用例１］本適用例に係るプロジェクタは、光源部から射出された光束を画像信号に応じて変調し形成した画像光を投射するものであって、前記光源部を含む画像投射部と、前記画像投射部を収容する筐体と、前記筐体の内部温度の上昇を防ぐための冷却部と、前記内部温度を検知する検知部と、前記検知部による検知情報を記憶する記憶部と、少なくとも前記画像投射部を制御する制御部と、を有し、前記光源部は、少なくとも第１の輝度および前記第１の輝度より低輝度の第２の輝度で点灯可能であり、前記制御部は、前記検知部が前記内部温度の異常を検知した場合に、異常情報を前記記憶部に記憶して電源をオフにする処理を行い、起動時に前記記憶部が前記異常情報を記憶していれば、前記光源部を前記第２の輝度で点灯させる処理をすることを特徴とする。
【０００７】
このプロジェクタによれば、制御部は、発熱量の多い光源部を有する画像投射部等を収容する筐体の内部温度を検知していて、冷却部の駆動にも拘わらず内部温度が上昇する異常を検知すると、プロジェクタへ内部温度異常の影響が及ばないように電源をオフにして、強制的に稼動を終了する。この時、記憶部には、内部温度が異常であったことを示す異常情報が記憶される。そして、プロジェクタが再度起動する際には、制御部が記憶部に異常情報が記憶されているか否かを判断し、異常情報が記憶されていれば、光源部を低輝度である第２の輝度で点灯させる。つまり、光源部の発熱量を抑制可能な輝度で点灯することにより、内部温度が異常に上昇して直ちに強制的な稼動終了となるのを防ぐことが可能である。これにより、プロジェクタは、光源部が第２の輝度で継続して点灯しているため、オペレータに内部温度異常を発生させるような異常要因が存在していることを認識させることができ、異常要因を排除するようオペレータを促して正常な状態に戻ることが可能である。
【０００８】
［適用例２］上記適用例に係るプロジェクタにおいて、前記制御部は、起動時に前記記憶部が前記異常情報を記憶していれば、警告メッセージの表示を前記画像投射部にさせることが好ましい。
【０００９】
この構成によれば、異常情報を記憶して強制的に稼動終了したプロジェクタは、その後の起動時に、制御部により画像投射部から警告メッセージを投射して表示し、オペレータに警告する。このように、光源部を低輝度である第２の輝度で点灯させることに加え、警告メッセージを表示することにより、内部温度異常を発生させる異常要因がプロジェクタに存在していることを、オペレータにより確実に認識させることが可能である。
【００１０】
［適用例３］上記適用例に係るプロジェクタにおいて、前記制御部は、前記警告メッセージの表示後、所定時間内に所定の応答が入力されなければ電源をオフにする処理を行い、前記所定時間内に前記所定の応答が入力されれば前記光源部を前記第１の輝度で点灯させることが好ましい。
【００１１】
この構成によれば、プロジェクタの制御部は、警告メッセージの表示にも拘わらず、オペレータが異常要因を排除した旨の応答を所定時間内に入力しなければ、当該異常要因が排除されないと判断する。そして、制御部は、プロジェクタへ内部温度異常の影響が及ばないうちに電源をオフにして、プロジェクタの稼動を終了させる。一方、所定時間内に応答が入力されれば、制御部は、光源部を低輝度である第２の輝度に替えて第１の輝度で点灯させる処理をする。これにより、プロジェクタは、異常要因が排除されたとして、正常な稼動を開始することが可能である。
【００１２】
［適用例４］上記適用例に係るプロジェクタにおいて、前記冷却部は、少なくとも第１の冷却能力および前記第１の冷却能力より強冷却能力を有する第２の冷却能力で駆動可能であり、前記制御部は、前記記憶部が前記異常情報を記憶していれば、前記冷却部を前記第２の冷却能力で駆動させることが好ましい。
【００１３】
この構成によれば、異常情報を記憶して稼動終了したプロジェクタは、その後の起動時に、警告メッセージの表示と光源部を低輝度である第２の輝度での点灯とに加え、冷却部を強冷却能力である第２の冷却能力で駆動させる。これにより、オペレータが異常要因を排除するまでの間、内部温度の上昇を抑制して、プロジェクタに熱影響ができるだけ及ばないようにすることが可能である。
【００１４】
［適用例５］上記適用例に係るプロジェクタにおいて、前記制御部は、前記警告メッセージの表示後、前記所定時間内に前記所定の応答が入力されれば前記冷却部を前記第１の冷却能力で駆動させることが好ましい。
【００１５】
この構成によれば、異常要因の排除された応答が入力されると、冷却部は、強冷却能力である第２の冷却能力に替えて第１の冷却能力で駆動する。これにより、プロジェクタは、負荷の少ない第１の冷却能力で駆動して、正常な稼動を開始することが可能である。
【００１６】
［適用例６］上記適用例に係るプロジェクタにおいて、前記検知部は、温度センサであり、前記制御部は、前記温度センサによる前記検知情報に対応して前記冷却部の駆動を制御し、前記記憶部が前記異常情報を記憶していれば、前記冷却部を前記第２の冷却能力で駆動させることが好ましい。
【００１７】
この構成によれば、プロジェクタの検知部には、温度センサを用いており、内部温度を検知情報として直接検知している。そして、制御部は、温度センサの検知情報に基づいて、冷却部の冷却能力を第１の冷却能力および第２の冷却能力を含む適切な能力でコントロールし、筐体の内部温度をほぼ一定に保持する。また、制御部は、記憶部が異常情報を記憶していれば、冷却部を強冷却能力である第２の冷却能力で駆動させるため、オペレータが異常要因を排除するまでの間、内部温度の上昇を抑制することが可能である。
【００１８】
［適用例７］本適用例に係るプロジェクタの制御方法は、光源部から射出された光束を画像信号に応じて変調し形成した画像光を投射するプロジェクタを制御する方法であって、少なくとも第１の輝度および前記第１の輝度より低輝度の第２の輝度で点灯可能な前記光源部から前記第１の輝度の光束を射出する射出ステップと、少なくとも第１の冷却能力および前記第１の冷却能力より強冷却能力を有する第２の冷却能力で駆動可能な冷却部で冷却される前記プロジェクタの内部温度を検知する検知ステップと、前記検知ステップで前記内部温度の異常を検知した場合に、異常情報を記憶する記憶ステップと、前記異常情報に対応して電源をオフにする稼動停止ステップと、前記プロジェクタの起動時に、前記異常情報の記憶の有無を確認する確認ステップと、前記確認ステップで前記異常情報の記憶を有していれば、少なくとも前記光源部の前記第２の輝度での点灯または前記冷却部の前記第２の冷却能力での駆動を行う異常時起動ステップと、を有することを特徴とする。
【００１９】
この制御方法によれば、発熱量の多い光源部を有する画像投射部等を有するプロジェクタの内部温度を検知ステップで検知していて、冷却部の駆動にも拘わらず内部温度が上昇する異常を検知すると、稼動停止ステップにおいて、プロジェクタへ内部温度異常の影響が及ばないように電源をオフにして、プロジェクタを強制的に稼動終了させる。この時、記憶ステップにおいて、記憶部には、内部温度が異常であったことを示す異常情報が記憶される。そして、プロジェクタが再度起動する際には、制御部が記憶部に異常情報が記憶されているか否かを確認ステップで判断し、異常時起動ステップにおいて、異常情報が記憶されていれば、光源部の低輝度である第２の輝度での点灯と、冷却部の強冷却能力である第２の冷却能力での駆動とのどちらかあるいは両方を実行する。これにより、プロジェクタは、稼動停止ステップを経た稼動停止後の起動時においても、再度内部温度が異常に上昇して直ちに強制的な稼動終了となるのを防ぐことができ、この間に、オペレータへ異常要因の排除を促すことなどが可能である。
【００２０】
［適用例８］上記適用例に係るプロジェクタの制御方法は、前記異常時起動ステップの後、警告メッセージを表示する警告ステップと、前記警告メッセージの表示後、所定時間内に所定の応答が入力されなければ電源をオフにし、前記所定時間内に前記所定の応答が入力されれば前記光源部を前記第１の輝度で点灯させ且つ前記冷却部を前記第１の冷却能力で駆動させる応答ステップと、をさらに有することが好ましい。
【００２１】
この制御方法によれば、異常情報を記憶して強制的に稼動終了したプロジェクタにおけるその後の起動時に、警告ステップで警告メッセージを表示して、オペレータに警告する。これにより、内部温度異常を発生させる異常要因がプロジェクタに存在していることを、オペレータにより確実に認識させることが可能である。そして、応答ステップにおいて、警告メッセージの表示にも拘わらず、オペレータが異常要因を排除した旨の応答を所定時間内に入力しなければ、当該異常要因が排除されないと判断し、プロジェクタへ内部温度異常の影響が及ばないうちに電源をオフにして、稼動を終了させる。一方、所定時間内に応答が入力されれば、プロジェクタの光源部を第１の輝度で点灯させると共に、冷却部を第１の冷却能力で駆動させて、正常な稼動を開始可能にする。このような制御方法により、オペレータの異常要因の排除の有無に対応して、適切にプロジェクタを制御することが可能である。
【発明を実施するための最良の形態】
【００２２】
以下、プロジェクタおよびその制御方法の具体的な実施形態について図面に従って説明する。本実施形態のプロジェクタは、温度異常のため強制的に稼動を終了した場合、次回起動時に、前回の異常な稼動終了に対応可能であることを特徴とする。
（実施形態）
【００２３】
図１は、本実施形態に係るプロジェクタの外観を示す斜視図である。図１に示すように、プロジェクタ１は、プロジェクタ１の機構部を収容する筐体である外装２を有し、外装２は、上面、側面、および背面を構成する上部外装２ａと、底面、側面、および背面を構成する下部外装２ｂと、前面を構成する前部外装２ｃと、で構成され略直方体状の外観をなしている。そして、上部外装２ａ上面の前部外装２ｃの側には、プロジェクタ１を操作するための操作部５が設けられていて、操作部５は、図５を参照して機能を後述する確認キー５ａを有している。また、前部外装２ｃには、操作部５の位置近傍に切り欠きが設けられていて、この切り欠きの部分にカラー画像を投射するための投射部３が配置されている。プロジェクタ１は、スクリーン等に投射される映像を見る側と同じ側に設置されるいわゆるフロントタイプである。
【００２４】
そして、前部外装２ｃの投射部３と反対側位置には、機構部が発する熱を排出するための排気口８が設けられている。また、下部外装２ｂの投射部３側の側面には、冷却用の空気である冷却空気を筐体内へ導入するための吸気口９の１つである側面吸気口９ａが設けられ、さらに、下部外装２ｂの底面に底面吸気口９ｂが設けられている。これらにより、冷却空気が吸気口９から排気口８へ常に送られ、筐体の内部温度が所定温度以上に上昇しないように配慮されている。そして、吸気口９には、導入する冷却空気に含まれる塵埃を除去するために、吸気口９内側の全域に図示していない除塵フィルタが設けられている。
【００２５】
次に、プロジェクタ１の機構部の構成および機能を簡単に説明する。図２は、上部および前部外装を取り外したプロジェクタの内部を示す斜視図である。図２に示すように、下部外装２ｂの前面の側には、既述した投射部３と、排気口８に連続して位置する排気部１８と、投射部３および排気部１８の間に位置する電源部１５と、が配置され、排気部１８および電源部１５の後部には、平面視略Ｌ字状の光学ユニット（画像投射部）４（４１，４２，４３，４４）が配置されている。機能部の主要部をなす光学ユニット４は、光源部４１ａから射出された光束を画像信号に応じて変調して投射するための機構である。そして、電源部１５、光学ユニット４および投射部３の上部外装２ａ（図１）の側に、プロジェクタ１を制御するための制御基板１２が配置されている。図２では、制御基板１２が取り外された状態が示されている。
【００２６】
制御基板１２には、その両面に、図示していない各種回路などが実装された制御部２０および図５を参照して後述するタイマ１７が設けられている。また、制御基板１２の背面側には、２つのスピーカー３３と、プロジェクタ１と外部装置とを接続するためのコネクタ部３５が配設され、コネクタ部３５は、コンポーネント信号を入力するためのＲＧＢ入力端子、ビデオ入力端子、ＵＳＢ入力端子、オーディオ入力端子およびＨＤＭＩ（High-Definition  Multimedia  Interface）端子等を有している。
【００２７】
電源部１５は、図示していない電源ブロックと光源駆動ブロックとを含んで構成されており、電源ブロックは、電源ケーブルを通して、外部から供給された電力を光源駆動ブロック、制御基板１２および機構部に供給している。機構部のうち、光源ランプを有する光源部４１ａには、光源駆動ブロックから電力が供給されている。これら電源ブロックおよび光源駆動ブロックは、略平行に上下に並んで配置され、それぞれ筒状部材（不図示）によって覆われている。筒状部材は、外装２の側面へ向いた側が開口しており、電源ブロックおよび光源駆動ブロック間での電磁ノイズの漏れを防止すると共に、冷却空気を誘導するダクトとしての機能も有している。そして、これらの電源部１５から外部へ電磁ノイズが漏れることを防止するために、シールド板１６が電源部１５を覆って設けられている。
【００２８】
また、吸気口９の近傍には、冷却空気を取り入れるための吸気ファン１０が設けられていて、吸気ファン１０は、側面吸気口９ａに対応する側面シロッコファン１０ａと、底面吸気口９ｂに対応する底面シロッコファン１０ｂとからなっている。側面シロッコファン１０ａから取り入れられた冷却空気は、ダクト（不図示）で導かれ光学ユニット４を主に冷却し、底面シロッコファン１０ｂから取り入れられた冷却空気は、電源部１５を主に冷却する。また、排気部１８は、冷却空気を強制排気する排気ファン１８ａと、冷却空気を排気口８へ導くための排気ダクト１８ｂと、を有している。
【００２９】
さらに、排気ファン１８ａの近傍には、プロジェクタ１の筐体の内部温度を検知する検知部として、温度に応じて抵抗値が変化するサーミスタ（温度センサ）１４が設けられていて、機構部を冷却した冷却空気の温度を内部温度として測定している。これら吸気ファン１０および排気ファン１８ａは、冷却部を構成するものである。
【００３０】
次に、光学ユニット４について説明する。光学ユニット４は、排気部１８の近傍にあり光源部４１ａを有するインテグレータ照明部４１と、色分離部４２と、リレー光学部４３と、３枚の液晶パネルを光学変調素子として有する光学変調部４４と、を有している。そして、光学変調部４４は、投射部３と接続されている。
【００３１】
インテグレータ照明部４１は、光源部４１ａの光源ランプから光束を射出し、光学変調部４４において、光束が、赤、緑、青の色光にそれぞれ対応して設けられている３枚の液晶パネルの画像形成領域をほぼ均一に照明するための光学系である。また、色分離部４２は、インテグレータ照明部４１から射出された光束を赤、緑、青の３色の色光に分離するための光学系である。次のリレー光学部４３は、色分離部４２で分離された色光の内、液晶パネルまでの経路の長い色光を導く機能を有する光学系であり、この場合赤色光がリレー光学部４３へ導かれている。そして、光学変調部４４は、３枚の液晶パネルによって、それぞれの色光を画像情報に応じて変調して光学像を形成し、さらに、クロスダイクロイックプリズムによって、色光毎に変調された光学像を合成してカラー画像を形成するための光学系である。このようにして形成されたカラー画像は、投射部３の投射レンズによって拡大して投射され、スクリーン等に映像として映し出される。
【００３２】
また、図２に図示していないが、インテグレータ照明部４１には、光源部４１ａからの光束量を調整する調光部と、シネマコンテンツの投射に適した光束を得るために必要に応じてシネマフィルターを挿入するフィルタ挿抜部が設けられている。また、投射部３には、投射レンズのズーム操作およびフォーカス操作を行うためのレンズ駆動部が設けられている。
【００３３】
このような構成のプロジェクタ１は、制御部によって制御されており、以下に制御部の詳細について説明する。なお、説明では、記憶と保存とを同意義で用いている。図３は、制御部の構成を示すブロック図である。図３に示すように、プロジェクタ１の制御部２０は、制御基板１２（図２）に実装されていて、プロジェクタ１を総合的に制御するＣＰＵ（Central  Processing  Unit）２１と、ＣＰＵ２１が参照して各種処理を実行するためのプログラム等を保存しているＲＯＭ（Read  Only  Memory）２２と、光学ユニット４を制御するユニット制御部２３と、操作部５およびコネクタ部３５の入出力を制御する入出力制御部２４と、を有している。
【００３４】
ここで、ユニット制御部２３は、光学ユニット４の光源部４１ａが有する光源ランプの輝度を制御することが可能であって、光源部４１ａは、プロジェクタ１の通常の稼動時における投射に用いられ通常輝度としての高輝度である第１の輝度の光束を射出することと、第１の輝度より低輝度である第２の輝度の光束を射出することができる。この場合、光源部４１ａは、第２の輝度である低輝度の光束を射出する場合の方が、第１の輝度である高輝度の光束を射出する場合に比べ、光源ランプの電力消費および発熱量が共に少ない。また、ＲＯＭ２２は、書き換え可能な不揮発性のメモリであって、図４を参照して後述するフラグの設定を記憶するためのフラグ設定領域（記憶部）２２ａを有している。
【００３５】
そして、制御部２０は、冷却部である吸気ファン１０および排気ファン１８ａの回転をそれぞれ制御するファン制御部２５と、サーミスタ１４による内部温度の検知を制御する検知制御部２６と、タイマ１７による時間の経過測定を制御するタイマ制御部２７と、を有している。
【００３６】
ここで、ファン制御部２５は、プロジェクタ１の内部温度が所定温度以下の温度域にある場合、吸気ファン１０および排気ファン１８ａを通常回転させた第１の冷却能力によってプロジェクタ１を冷却し、プロジェクタ１の内部温度が所定温度近くに上昇した場合等において、吸気ファン１０および排気ファン１８ａを通常回転より速く強冷却回転させた第２の冷却能力によってプロジェクタ１を冷却する制御を行う。
【００３７】
このような制御部２０が、プロジェクタ１に対して実行する制御について以下に説明する。この場合の制御は、プロジェクタ１が異常な温度上昇に晒されないようにするためのものであって、まず、プロジェクタ１が稼動中の場合について説明する。図４は、稼動中のプロジェクタにおいて制御部が実行するフローチャートである。稼動中のプロジェクタ１は、光源部４１ａから光束を射出している射出ステップの状態である。
【００３８】
まず、ステップＳ１において、プロジェクタ１の内部温度の上昇を検知したか否かを判断する。具体的には、制御部２０のＣＰＵ２１が、検知制御部２６を介して、サーミスタ１４で検知した内部温度を検知情報として入手し判断する。このステップＳ１は、検知ステップに該当する。ここで、内部温度が予め設定した所定温度まで上昇していれば、内部温度異常と判断してステップＳ２へ進み、一方、内部温度が所定温度以下であれば、ステップＳ３へ進む。
【００３９】
そして、内部温度異常の場合、ステップＳ２において、光源部４１ａを消灯する。光源部４１ａの消灯後、ステップＳ４へ進む。
【００４０】
また、内部温度異常ではない場合、ステップＳ３において、電源オフの入力がなされたか否かを判断する。この電源オフは、オペレータが操作部５を操作してプロジェクタ１の稼動を終了させるために入力するものであり、入力されていれば、ステップＳ５へ進み、一方、入力されていなければ、ステップＳ１へ戻る。
【００４１】
ステップＳ２で光源部４１ａの消灯後、ステップＳ４において、温度異常の有無を示すためのフラグをオンにして保存する。つまり、内部温度異常と判断したＣＰＵ２１が、フラグを温度異常の有を示すオンにして、ＲＯＭ２２のフラグ設定領域２２ａへ異常情報として記憶させる。これにより、プロジェクタ１が内部温度の異常上昇の状態に陥ったことが不揮発メモリとして記憶される。このステップＳ４は、記憶ステップに該当する。フラグの記憶後、ステップＳ５へ進む。
【００４２】
ステップＳ５において、電源オフの処理をし、プロジェクタ１は、稼動を停止して、フローが終了する。ここで、ステップＳ３からステップＳ５へ進んだ場合、光源部４１ａを消灯して冷却部による筐体内部の冷却を行うが、ステップＳ４からステップＳ５へ進んだ場合、ステップＳ２において既に光源部４１ａが消灯されているため、直ちに冷却部による筐体内部の冷却を行う。このステップＳ５は、稼動停止ステップに該当する。
【００４３】
次に、プロジェクタ１を起動する場合について説明する。図５は、プロジェクタの起動時において制御部が実行するフローチャートである。まず、ステップＳ１０において、温度異常のフラグを取得する。具体的には、ＣＰＵ２１がフラグ設定領域２２ａに記憶されているフラグを取得する。フラグの取得後、ステップＳ１１へ進む。
【００４４】
ステップＳ１１において、取得したフラグがオンであるか否かを、ＣＰＵ２１が判断する。フラグがオンであれば、前回内部温度異常でプロジェクタ１が稼動終了したことを示しており、フラグがオンでなければ、前回内部温度異常が生じることなく稼動終了したことを示している。これらステップＳ１０およびステップＳ１１は、確認ステップに該当する。そして、フラグがオンであればステップＳ１２へ進み、一方、フラグがオンでなければ、ステップＳ２２へ進む。
【００４５】
フラグがオンの場合、ステップＳ１２において、光源部４１ａを低輝度で点灯させる。つまり、ＣＰＵ２１がユニット制御部２３へ指示して、光源部４１ａを第２の輝度の状態で点灯させる。光源部４１ａの点灯後、ステップＳ１３へ進む。
【００４６】
ステップＳ１３において、吸気ファン１０および排気ファン１８ａを強冷却回転で駆動させる。これらの駆動は、ＣＰＵ２１がファン制御部２５を介して吸気ファン１０および排気ファン１８ａへ実行され、ステップＳ１２における光源部４１ａの低輝度点灯と合わせ、プロジェクタ１の内部温度の上昇を抑制することができる。これらステップＳ１２およびステップＳ１３は、異常時起動ステップに該当する。吸気ファン１０および排気ファン１８ａの駆動後、ステップＳ１４へ進む。
【００４７】
ステップＳ１４において、警告メッセージを表示する。この表示は、ＣＰＵ２１がＲＯＭ２２に保存されている警告メッセージを、ユニット制御部２３を介して光学ユニット４によってスクリーン等に映し出される。警告メッセージは、例えば、「前回、温度異常が発生して稼動停止となりました。異常要因を排除した後、”確認キー”を押してください」のように表示される。これにより、オペレータは、前回温度異常があったことを確実に認識でき、異常要因の排除作業に取り掛かることができる。確認キー５ａは、異常要因の排除が行われたとする所定の応答を入力するためのものである。このステップＳ１４は、警告ステップに該当する。警告の表示後、ステップＳ１５へ進む。
【００４８】
ステップＳ１５において、タイマ計時を開始する。計時は、ＣＰＵ２１がタイマ制御部２７を介してタイマ１７を作動させて実行させる。計時開始後、ステップＳ１６へ進む。
【００４９】
ステップＳ１６において、確認キー５ａが押されて入力されたか否かを判断する。この判断は、ＣＰＵ２１が入出力制御部２４を介して入力の有無を確認し、入力されていれば、オペレータが異常要因の排除をして確認キー５ａを押したと判断する。入力されていなければ、オペレータが異常要因の排除をしておらず、この場合、内部温度の上昇の恐れがあると判断する。そして、確認キー５ａが入力されていればステップＳ２０へ進み、一方、確認キー５ａが入力されていなければステップＳ１７へ進む。
【００５０】
ステップＳ１７において、確認キー５ａが入力されずに所定時間が経過したか否かを判断する。所定時間が経過していなければステップＳ１６へ戻って、確認キー５ａの入力を待ち、一方、所定時間が経過していればステップＳ１８へ進む。
【００５１】
ステップＳ１８において、低輝度の第２の輝度で点灯している光源部４１ａを消灯する。消灯により、警告メッセージも表示されなくなる。光源部４１ａの消灯後、ステップＳ１９へ進む。
【００５２】
ステップＳ１９において、電源オフの処理をする。光源部４１ａの消灯により発熱が抑制されたプロジェクタ１は、吸気ファン１０および排気ファン１８ａによって十分に冷却された後、稼動を停止する。この場合、フラグ設定領域２２ａには、フラグがオンのまま記憶されている。従って、再度プロジェクタ１が起動した際に、ステップＳ１１において前回内部温度の異常でプロジェクタ１が稼動終了したと制御部２０が判断し、ステップＳ１２へ分岐するフローが展開されることになる。以上で、異常要因が排除されなかった場合におけるフローが終了する。
【００５３】
また、ステップＳ１６で確認キー５ａが入力された場合、ステップＳ２０において、温度異常のフラグをオフにして保存する。即ち、内部温度異常を生じさせる異常要因が排除されたと判断して、ＣＰＵ２１がフラグをオフにしたことをＲＯＭ２２のフラグ設定領域２２ａへ記憶させる。これにより、再度プロジェクタ１が起動した際に、ステップＳ１１において前回内部温度異常が生じることなく稼動終了したと制御部２０が判断し、ステップＳ２２へ分岐するフローが展開されることになる。そして、フラグをオフにして保存後、ステップＳ２１へ進む。
【００５４】
ステップＳ２１において、タイマ１７を停止する。タイマ１７は、確認キー５ａが入力されるべき所定時間を計時するものであり、この場合、所定時間内に確認キー５ａが入力されたため、タイマ１７の計時が停止される。計時の停止後、ステップＳ２２へ進む。
【００５５】
ステップＳ２２において、光源部４１ａを通常輝度で点灯する。つまり、ＣＰＵ２１がユニット制御部２３へ指示して、低輝度の第２の輝度で点灯している光源部４１ａを、高輝度な通常輝度である第１の輝度の状態に替えて再点灯させる。これで、プロジェクタ１は、正常に映像を投射することができる。光源部４１ａの再点灯後、ステップＳ２３へ進む。
【００５６】
ステップＳ２３において、吸気ファン１０および排気ファン１８ａを通常回転で駆動させる。これらは、ＣＰＵ２１によって、吸気ファン１０および排気ファン１８ａが、ファン制御部２５を介して第１の冷却能力で駆動するように実行される。その結果、プロジェクタ１は、ステップＳ２２における通常輝度の点灯と合わせ、正常な稼動状態となる。なお、これらステップＳ１６からステップＳ２３は、応答ステップに該当する。以上で、異常要因が排除された場合におけるフローが終了する。
【００５７】
以下に、実施形態の主な効果をまとめて記載する。
【００５８】
（１）プロジェクタ１は、起動時に、前回温度異常により強制的な稼動終了がなされたことを示すフラグがオンの場合、光源部４１ａを低輝度の第２の輝度で点灯し、さらに、吸気ファン１０および排気ファン１８ａを強冷却回転の第２の冷却能力で駆動して、内部温度の上昇を抑制する。これにより、前回と同じ強制的な稼動終了に陥ることを抑制して、その間に、オペレータへ温度異常に係る異常要因を排除するよう促すことができる。
【００５９】
（２）また、プロジェクタ１は、内部温度の上昇を抑制中に、所定時間、警告メッセージを表示し、表示中に異常要因が排除されたことを示す確認キー５ａが入力されれば、光源部４１ａを通常輝度の第１の輝度で点灯し、さらに、吸気ファン１０および排気ファン１８ａを通常回転の第１の冷却能力で駆動して、正常な稼動を開始する。そして、確認キー５ａが入力されなければ、温度異常の恐れがあるため、プロジェクタ１は、稼動を終了する。このような制御により、プロジェクタ１は、オペレータによる異常要因の排除の如何に対応して、適切な処理をすることが可能である。
【００６０】
また、プロジェクタ１およびその制御方法は上記の実施形態に限定されるものではなく、次に挙げる変形例のような形態であっても、実施形態と同様な効果が得られる。
【００６１】
（変形例１）光源部４１ａは、第１の輝度と第２の輝度との２種類の輝度で点灯する構成であるが、３種類以上の輝度を有して点灯可能であっても良い。これにより、温度異常に対応するためだけでなく、プロジェクタ１が投射する映像コンテンツに応じて輝度を調整することができる。同様に、吸気ファン１０および排気ファン１８ａが第１の冷却能力と第２の冷却能力に加え、３種類以上の冷却能力を有し、内部温度をきめ細かくコントロールする構成であっても良い。
【００６２】
（変形例２）検知部は、温度センサであるサーミスタ１４に限定されない。内部温度に対応して導入する冷却空気の風量を増減させる冷却部の近傍に、風量センサを設けて、風量の多少から内部温度を把握する構成であっても良い。
【００６３】
（変形例３）プロジェクタ１は、光学変調部４４として液晶パネルを用いているが、液晶パネル以外のマイクロミラーアレイデバイス等を用いたものであっても良い。これにより、液晶パネル以外の光学変調部を有するプロジェクタに、本実施形態に示す機構および制御方法を適用することができる。また、プロジェクタ１は、フロントタイプだけでなく、スクリーン等に対して映像を見る側と反対側に設置されるいわゆるリアタイプのものにも適用することができる。
【００６４】
（変形例４）図４のフローにおいて、ステップＳ１を、温度情報を検知した割り込み処理としてもよい。
【図面の簡単な説明】
【００６５】
【図１】本実施形態に係るプロジェクタの外観を示す斜視図。
【図２】上部および前部外装を取り外したプロジェクタの内部を示す斜視図。
【図３】制御部の構成を示すブロック図。
【図４】プロジェクタの稼動中において制御部が実行するフローチャート。
【図５】プロジェクタの起動時において制御部が実行するフローチャート。
【符号の説明】
【００６６】
１…プロジェクタ、２…筐体としての外装、３…投射部、４…画像投射部としての光学ユニット、５…操作部、５ａ…確認キー、１０…冷却部としての吸気ファン、１２…制御基板、１４…検知部および温度センサとしてのサーミスタ、１７…タイマ、１８…排気部、１８ａ…冷却部としての排気ファン、２０…制御部、２１…ＣＰＵ、２２…ＲＯＭ、２２ａ…記憶部としてのフラグ設定領域、２３…ユニット制御部、２４…入出力制御部、２５…ファン制御部、２６…検知制御部、２７…タイマ制御部、４１…インテグレータ照明部、４１ａ…光源部。
【図１】
2009288277.tif 000003
【図２】
2009288277.tif 000004
【図３】
2009288277.tif 000005
【図４】
2009288277.tif 000006
【図５】
2009288277.tif 000007